(57)【要約】【課題】本発明は、不使用の磁極がある場合でも全ての磁極に対してステータ巻線を巻回し、渡り線の渡りはずれを防止し、信頼性を向上させることを目的とする。【解決手段】本発明による回転検出器用ステータの巻線方法及びステータ構造は、ステータ体（１）に設けられた全ての磁極（２）の中の一部の磁極（２）を磁気的に使用しない場合においても全ての前記磁極（２）に対してステータ巻線（５）を順次巻付ける方法と構成である。【選択図】　　　　図１
2004085382.tif 000002
【特許請求の範囲】
【請求項１】
全体形状が輪状をなすステータ体（１）の内側に形成された磁極（２）に対して、輪状絶縁カバー（３、４）を介してステータ巻線（５）を巻付けるようにした回転検出器用ステータの巻線方法において、
前記ステータ体（１）に設けられた全ての前記磁極（２）の中の一部の磁極（２）を磁気的に使用しない場合においても全ての前記磁極（２）に対して前記ステータ巻線（５）を順次巻付けることを特徴とする回転検出器用ステータの巻線方法。
【請求項２】
前記各磁極（２）の中、磁気的に使用しない磁極（２）に対しては補正用巻線（５ａ）を巻付け磁気的影響をなくすことを特徴とする請求項１記載の回転検出器用ステータの巻線方法。
【請求項３】
全体形状が輪状をなすステータ体（１）の内側に形成された磁極（２）に対して、輪状絶縁カバー（３、４）を介してステータ巻線（５）を巻付けるようにした回転検出器用ステータ構造において、
全ての前記各磁極（２）には前記ステータ巻線（５）が順次巻回され、前記各磁極（２）の中、磁気的に使用しない磁極（２）に巻回され当該磁極（２）の磁気的影響をなくすための補正用巻線（５ａ）を有することを特徴とする回転検出器用ステータ構造。
【発明の詳細な説明】
【０００１】
【発明の属する技術分野】
本発明は、回転検出器用ステータの巻線方法及びステータ構造に関し、特に、各磁極の中、磁気的に使用しない磁極がある場合においても全ての磁極に対してステータ巻線を巻付け、使用しない磁極には磁気的キャンセルを行うための補正用巻線を巻付けることにより、渡り線が渡り線ガイド突起を飛ばして渡ることのないようにし、断線等の発生を防止するための新規な改良に関する。
【０００２】
【従来の技術】
従来、用いられていたこの種の回転検出器用ステータの巻線方法の場合、例えば、特開平１１−９８７４７号公報のように、通常はステータ体の各磁極に対して順次ステータ巻線を巻付けているが、磁気的に使用しない磁極に対しては、当該磁極を飛び越して次の磁極にステータ巻線を巻付けていた。
【０００３】
【発明が解決しようとする課題】
従来の回転検出器用ステータの巻線方法は、以上のように構成されていたため、次のような課題が存在していた。
すなわち、磁気的に使用しない磁極は飛び越してステータ巻線を巻付けていたため、飛び越した場合には渡り線が輪状絶縁カバーに形成された渡り線ガイド突起の内側を渡る、いわゆる、渡りはずれが発生し、ステータ巻線の断線等となることもあり、歩留まりの低下、信頼性の低下となることもあった。
【０００４】
本発明は、以上のような課題を解決するためになされたもので、特に、各磁極の中、磁気的に使用しない磁極がある場合においても全ての磁極に対してステータ巻線を巻付け、使用しない磁極には磁気的キャンセルを行うための補正用巻線を巻付けることにより、渡り線が渡り線ガイド突起を飛ばして渡ることのないようにし、断線等の発生を防止するようにした回転検出器用ステータの巻線方法及びステータ構造を提供することを目的とする。
【０００５】
【課題を解決するための手段】
本発明による回転検出器用ステータの巻線方法は、全体形状が輪状をなすステータ体の内側に形成された磁極に対して、輪状絶縁カバーを介してステータ巻線を巻付けるようにした回転検出器用ステータの巻線方法において、前記ステータ体に設けられた全ての前記磁極の中の一部の磁極を磁気的に使用しない場合においても全ての前記磁極に対して前記ステータ巻線を順次巻付ける方法であり、また、前記各磁極の中、磁気的に使用しない磁極に対しては補正用巻線を巻付け磁気的影響をなくす方法であり、また、本発明による回転検出器用ステータ構造は、全体形状が輪状をなすステータ体の内側に形成された磁極に対して、輪状絶縁カバーを介してステータ巻線を巻付けるようにした回転検出器用ステータ構造において、全ての前記各磁極には前記ステータ巻線が順次巻回され、前記各磁極の中、磁気的に使用しない磁極に巻回され当該磁極の磁気的影響をなくすための補正用巻線を有する構成である。
【０００６】
【発明の実施の形態】
以下、図面と共に本発明による回転検出器用ステータの巻線方法及びステータ構造の好適な実施の形態について説明する。
図１において、符号１で示されるものは、多層型の転積により積層されたステータ体であり、このステータ体１には内方へ向けて突出する複数の磁極２がスロット２Ａを介して所定角度間隔で形成されている。
前記スロット２Ａの奥側に形成された凹状壁部２Ａａは、平面的に見て山形状に形成されている。
【０００７】
前記ステータ体１の両面には、射出成形による一体成形又は別体として成形された構成の第１、第２輪状絶縁カバー３、４が、図２及び図３で示されるように設けられており、全体形状としてステータ体１とほぼ同等の形状をなしている。前記第１、第２輪状絶縁カバー３、４の外縁には、軸方向に沿って突出する輪状の外側壁部２０１が形成されており、第１輪状絶縁カバー３における前記各スロット２Ａの中央位置には軸方向に沿って突出する渡り線ガイド突起２００が形成されている。
【０００８】
前記ステータ体１の両面に第１、第２輪状絶縁カバー３、４が設けられた状態で、各磁極２に対し図示しない自動巻線機のニードルを介してステータ巻線５が順次巻付けられており、磁極２に巻付けられたステータ巻線５の渡り線５ｂは渡り線ガイド突起２００の裏側を必ず経由して隣の磁極２に巻付けられている。
従って、磁気的に使用しない磁極２がある場合には、当該磁極２に対して補正用巻線５ａを巻回し、この補正用巻線５ａの巻回方向を変える等によりその磁極２の磁気的作用をキャンセルし、ステータ体１における磁気的影響がないように構成されている。
【０００９】
前記各磁極２にステータ巻線５が巻付けられた後のステータ体１の各輪状絶縁カバー３、４の外側には、第１、第２輪状巻線カバー８、９が設けられ、各輪状巻線カバー８、９は前記外側壁部２０１によってその内側に位置決めされている。
また、前記磁極２に巻付けられたステータ巻線５は、前記第２輪状絶縁カバー４の一端に形成された端子ピン保持部７の各端子ピン６に対して接続されている。
尚、前述の実施の形態においては、端子ピンとコネクタを用いて信号を出入りさせる構成であるが、この形態に限ることなく、リード線のみ、リード線と端子ピンを用いた構成等とすることができることは述べるまでもないことである。
【００１０】
【発明の効果】
本発明による回転検出器用ステータの巻線方法及びステータ構造は、以上のように構成されているため、次のような効果を得ることができる。
すなわち、ステータ体の磁極にステータ巻線を巻付ける場合、磁気的に不使用の磁極があった場合でも、全ての磁極に対して順次ステータ巻線を各渡り線ガイド突起を介して巻付けるため、従来のような渡り線の渡りはずれを確実に防止し、断線等を防止して信頼性を大幅に向上させることができる。
また、不使用の磁極に対してはステータ巻線による磁極の磁気的作用をキャンセルするために補正用巻線が巻付けられているため、不使用の磁極による不要な磁気的作用を打ち消すことができる。
【図面の簡単な説明】
【図１】本発明による回転検出器用ステータ構造を示す平面図である。
【図２】図１のＡ−Ａ断面図である。
【図３】図１のＢ−Ｂ断面図である。
【符号の説明】
１　　ステータ体
２　　磁極
３、４　　輪状絶縁カバー
５　　ステータ巻線
５ａ　　補正用巻線
５ｂ　　渡り線
６　　端子ピン
２００　　渡り線ガイド突起
２０１　　外側壁部
【図１】
2004085382.tif 000003
【図２】
2004085382.tif 000004
【図３】
2004085382.tif 000005